(57)【特許請求の範囲】
【請求項１】
型枠脱型後のコンクリートの表面に、前記コンクリートの内部に通された複数のセパレータのねじ部を利用して、前記コンクリートの表面の湿潤養生に使用する給水用ホース及び養生用シートを取り付けるコンクリートの養生設備の取付方法において、
前記各セパレータのねじ部に前記給水用ホースを拘束可能なホース留め具を取り付けて、このホース留め具に前記給水用ホースを通すことにより、前記給水用ホースを前記コンクリートの表面に設置し、
前記コンクリートの表面に前記養生用シートを被着し、前記各セパレータのねじ部に前記養生用シートを当該養生用シートの上から前記コンクリートの表面に向けて押圧可能な押圧面を有するシートストッパーを取り付けて、このシートストッパーの押圧面で前記養生用シートを前記コンクリートの表面に押え込み固定する、
ことを特徴とするコンクリートの養生設備の取付方法。
【請求項２】
養生用シートをコンクリートの表面にシートストッパーで押え込み固定する際に、前記養生用シートを押え込み可能な所定の長さを有するシート押えプレートを前記シートストッパー間に架け渡し、前記養生用シートと前記押圧面との間に介在させる請求項１に記載のコンクリートの養生設備の取付方法。
【請求項３】
請求項１又は２に記載のコンクリートの養生設備の取付方法に用いるホース留め具であって、
前記セパレータのねじ部に係合可能な取付リングと、
前記取付リンクの縁部から２方向に前記コンクリートの表面上に延びる一対のガイドベルトと、
前記一対のガイドベルトの一方に一体的に結合され、前記給水用ホースを拘束可能に形成される拘束リングと、
を備え、
前記一対のガイドベルトを案内にして、前記取付リングを前記セパレータのねじ部に通して取り付け、前記コンクリートの表面上で前記拘束リングに前記給水用ホースを挿通する、
ことを特徴とするホース留め具。
【請求項４】
請求項１又は２に記載のコンクリートの養生設備の取付方法に用いるシートストッパーであって、
前記セパレータのねじ部に螺合可能なねじ孔を有する軸と、
前記軸の基端部に設けられ、当該軸方向に対して直角方向に突出して前記コンクリートの表面を押圧可能な押圧面を有するフランジと、
前記フランジの前記軸とは反対側の面に突出し、前記軸を回転操作するための摘みと、
を備え、
前記摘みの操作により前記軸のねじ孔と前記セパレータのねじ部とをねじ締結して、前記軸で前記セパレータのねじ部に取り付けたホース留め具を固定するとともに、前記フランジで前記養生用シートを前記コンクリートの表面に向けて押圧する、
ことを特徴とするシートストッパー。
【請求項５】
請求項２に記載のコンクリートの養生設備の取付方法に用いるシート押えプレートであって、
断面略Ｌ字形に形成されて、水平部と、垂直部とを有し、
前記水平部を前記シートストッパーの上側に配置し、前記垂直部を前記養生用シートと前記シートストッパーのフランジとの間に介在する、
ことを特徴とするシート押えプレート。
【発明の詳細な説明】
【技術分野】
【０００１】
本発明は、コンクリート工事において、型枠脱型後のコンクリートの表面にコンクリートの湿潤養生に使用する養生設備、特に、給水用ホース及び養生用シートを取り付けるためのコンクリートの養生設備の取付方法、及びこれに用いるホース留め具、シートストッパー、シート押えプレートに関する。
【背景技術】
【０００２】
従来のコンクリートの湿潤養生方法の一つに、型枠脱型後のコンクリートの表面に給水用ホースを設置し、その上から養生用シートを被着して、給水用ホースにより散水を行う方法が知られている（例えば、特許文献１参照）。
ところで、このような給水用ホース及び養生用シートを用いたコンクリートの湿潤養生方法では、コンクリート構造物の上面であれば、この上面に直接給水用ホースを設置し、養生用シートを敷設して、給水用ホースに圧力水を供給し、コンクリートの上面に散水すればよいが、コンクリート構造物の壁や柱などの鉛直面の場合は、この鉛直面の上部側に給水用ホースを設置し、この給水用ホースの上から養生用シートをコンクリートの鉛直面に沿って取り付けて、給水用ホースに圧力水を随時供給し、コンクリートの鉛直面に水を散水して、自然流下させる必要がある。このようなコンクリートの鉛直面に給水用ホース及び養生用シートを取り付けるための取付方法については、従来から、多くの提案がなされており、その一つに、一般のコンクリート構造物に多用される型枠の締め付け材（セパレータ）を利用して、コンクリートの鉛直面に給水用ホースや養生用シートを取り付ける方法がある（例えば、特許文献２参照）。
【０００３】
図７にこの種の取付方法によるコンクリートの表面の給水用ホース及び養生用シートの取り付け例を示している。図７に示すように、型枠脱型後のコンクリート構造物は型枠の相対するせき板間に配置され、各せき板の間隔を保つためのセパレータが通されており、この取付方法では、コンクリートＣに通されたセパレータ７１に、型枠に使用された、一端に雄ねじを有するボルト７４を一体に備えるピーコン７３、及び一端に雌ねじを有し、他端に雄ねじを有するボルト７５１、押え金具７５２、ナット７５３からなるフォームタイ（登録商標）７５を用いて、コンクリートの鉛直面Ｐに桟木７６を固定し、この桟木７６でコンクリートの鉛直面Ｐに被着した養生用シートＳを固定し、この養生用シートＳの内側に給水用ホースＨを通してこの桟木７６の上に設置する。
この給水用ホース及び養生用シートの取り付けは図８に示すとおり、次の手順で行う。
まず、図８（１）に示すように（図７を併せて参照）、セパレータ７１の端部のねじ部７２にピーコン７３を連結してこのピーコン７３に一体のボルト７４をコンクリートの鉛直面Ｐから突出させておき、その上から、コンクリートの鉛直面Ｐに養生用シートＳを被着し、仮止めする。この場合、養生用シートＳの上部を接着テープなどを用いてコンクリートＣの上部側に固定し、養生用シートＳ全体をコンクリートの鉛直面Ｐ上に垂下させる。
続いて、図８（２）に示すように、コンクリートの鉛直面Ｐ上に養生用シートＳの上から桟木７６をフォームタイ（登録商標）７５により取り付けて、この桟木７６で養生用シートＳをコンクリートの鉛直面Ｐに固定する。この場合、コンクリートの鉛直面Ｐ上のボルト７４に桟木７６を通し、この桟木７６にフォームタイ（登録商標）７５のボルト７５１を通して、ピーコン７３のボルト７４の雄ねじとフォームタイ（登録商標）７５のボルト７５１の雌ねじを締結することにより、ピーコン７３のボルト７４とフォームタイ（登録商標）７５のボルト７５１とを連結する。そして、フォームタイ（登録商標）７５のボルト７５１に押え金具７５２を取り付け、このボルト７５１の雄ねじにナット７５３を合せて、ナット７５３をモンキースパナなどの工具で締め込んで押え金具７５２を桟木７６に向けて締め付けることにより、桟木７６をコンクリートの鉛直面Ｐに押圧固定し、この桟木７６で養生用シートＳをコンクリートの鉛直面Ｐに押え込み固定する。このようにして養生用シートＳのコンクリートの鉛直面Ｐからの脱落を防止する。
続いて、図８（３）に示すように、養生用シートＳの一部を剥がし、この養生用シートＳの内側に給水用ホースＨを通して、桟木７６の上面に設置する。この場合、養生用シートＳの上部をコンクリートＣの上部側から取り外し、養生用シートＳの桟木７６から上の部分をコンクリートの鉛直面Ｐから剥がし、この状態で養生用シートＳの内側に給水用ホースＨを通す。そして、この養生用シートＳを桟木７６の上面で給水用ホースＨの外形に合せて袋状に折って給水用ホースＨを包囲し、給水用ホースＨを桟木７６の上面に設置する。
そして、図８（４）に示すように、養生用シートＳを本止めする。この場合、養生用シートＳの剥がした上部側の部分をコンクリートの鉛直面Ｐに被着して、このシートＳの上部をコンクリートＣの上部側に固定する。
このようにこの取付方法では、コンクリートＣに通されたセパレータ７１のねじ部７２にピーコン７３を介してボルト７４を連結し、このコンクリートの鉛直面Ｐ上に養生用シートＳを被着して、この養生用シートＳの上からコンクリートの鉛直面Ｐ上のボルト７４に桟木７６を通し、フォームタイ（登録商標）７５を締め込むことにより、コンクリートの鉛直面Ｐに養生用シートＳを桟木７６で押圧固定し、この養生用シートＳの内側で桟木７６の上に給水用ホースＨを設置する。
【先行技術文献】
【特許文献】
【０００４】
【特許文献１】特開２００９−３０２４６公報（段落０００２−０００５）
【特許文献２】特開２０１０−２４７８５公報（段落０００２）
【発明の概要】
【発明が解決しようとする課題】
【０００５】
しかしながら、上記従来の給水用ホース及び養生用シートの取り付け方法では、次のような問題がある。
（１）コンクリートの鉛直面に被着した養生用シートを桟木により固定した後、コンクリートの鉛直面と養生用シートとの間に給水用ホースを通し、桟木の上に設置するため、養生用シートの取り付け作業に、養生用シートの仮止め、一部の取り外し、本止めという手戻りがあり、作業効率が悪い。
（２）給水用ホース及び養生用シートを取り付けるための桟木は長く、重量があり、また、桟木を締め付けるためのフォームタイ（登録商標）の締め込みにモンキースパナなどの工具が必要であるため、コンクリートの鉛直面への桟木の取り付けは容易でなく、作業性が悪い。
（３）コンクリートの鉛直面に被着した養生用シートの外側で桟木、フォームタイ（登録商標）が目立つため、養生設備の外観が悪い。
【０００６】
本発明は、このような従来の問題を解決するものであり、コンクリートの表面に給水用ホース及び養生用シートを、仮止め作業、取り外し作業などの手戻りをなくして効率よく、かつ簡易に取り付けることができ、しかも、養生設備の外観を良好にすることのできるコンクリートの養生設備の取付方法、及びこれに用いるホース留め具、シートストッパー、シート押えプレートを提供すること、を目的とする。
【課題を解決するための手段】
【０００７】
上記目的を達成するために、本発明は、型枠脱型後のコンクリートの表面に、前記コンクリートの内部に通された複数のセパレータのねじ部を利用して、前記コンクリートの表面の湿潤養生に使用する給水用ホース及び養生用シートを取り付けるコンクリートの養生設備の取付方法において、前記各セパレータのねじ部に前記給水用ホースを拘束可能なホース留め具を取り付けて、このホース留め具に前記給水用ホースを通すことにより、前記給水用ホースを前記コンクリートの表面に設置し、前記コンクリートの表面に前記養生用シートを被着し、前記各セパレータのねじ部に前記養生用シートを当該養生用シートの上から前記コンクリートの表面に向けて押圧可能な押圧面を有するシートストッパーを取り付けて、このシートストッパーの押圧面で前記養生用シートを前記コンクリートの表面に押え込み固定する、ことを要旨とする。
この場合、養生用シートをコンクリートの表面にシートストッパーで押え込み固定する際に、前記養生用シートを押え込み可能な所定の長さを有するシート押えプレートを前記シートストッパー間に架け渡し、前記養生用シートと前記押圧面との間に介在させるようにしてもよい。
【０００８】
また、上記目的を達成するために、本発明は、上記コンクリートの養生設備の取付方法に用いるホース留め具であって、前記セパレータのねじ部に係合可能な取付リングと、前記取付リンクの縁部から２方向に前記コンクリートの表面上に延びる一対のガイドベルトと、前記一対のガイドベルトの一方に一体的に結合され、前記給水用ホースを拘束可能に形成される拘束リングとを備え、前記一対のガイドベルトを案内にして、前記取付リングを前記セパレータのねじ部に通して取り付け、前記コンクリートの表面上で前記拘束リングに前記給水用ホースを挿通する、ことを要旨とする。なお、このホース留め具の取付リングは基本的にリング形状（略Ｏ形形状）を取るが、フック形状（略Ｊ形形状）でもよい。また、拘束リングは基本的にリング形状（略Ｏ形形状）を取るが、フック形状（略Ｊ形形状）でもよい。
また、本発明は、上記コンクリートの養生設備の取付方法に用いるシートストッパーであって、前記セパレータのねじ部に螺合可能なねじ孔を有する軸と、前記軸の基端部に設けられ、当該軸方向に対して直角方向に突出して前記コンクリートの表面を押圧可能な押圧面を有するフランジと、前記フランジの前記軸とは反対側の面に突出し、前記軸を回転操作するための摘みとを備え、前記摘みの操作により前記軸のねじ孔と前記セパレータのねじ部とをねじ締結して、前記軸で前記セパレータのねじ部に取り付けたホース留め具を固定するとともに、前記フランジで前記養生用シートを前記コンクリートの表面に向けて押圧する、ことを要旨とする。
さらに、本発明は、上記コンクリートの養生設備の取付方法に用いるシート押えプレートであって、断面略Ｌ字形に形成されて、水平部と、垂直部とを有し、前記水平部を前記シートストッパーの上側に配置し、前記垂直部を前記養生用シートと前記シートストッパーのフランジとの間に介在する、ことを要旨とする。
【発明の効果】
【０００９】
本発明のコンクリートの養生設備の取付方法によれば、上記のとおり、まず、養生用シートの取り付けに先行して、コンクリートの各セパレータのねじ部にホース留め具を取り付け、このホース留め具に給水用ホースを通すことにより、給水用ホースをコンクリートの表面に設置し、続いて、コンクリートの表面に養生用シートを被着し、この養生用シートの上から各セパレータのねじ部にシートストッパーを取り付けて、シートストッパーの押圧面で養生用シートをコンクリートの表面に押え込み固定するので、コンクリートの表面に給水用ホース及び養生用シートを、仮止め作業、取り外し作業などの手戻りをなくして効率よく、かつ簡易に取り付けることができ、しかも、養生用シートの表面にはシートストッパーの一部が現れるだけなので、養生設備の外観を良好にすることができる、という本願発明固有の格別な効果を奏する。
この場合、シート押えプレートをシートストッパー間に架け渡し、養生用シートとシートストッパーの押圧面との間に介在させることにより、コンクリートの表面に被着した養生用シートを広範囲に強固に固定して、コンクリートの表面からの脱落をより確実に防止することができる、という利点を有する。
また、この場合に、本発明のホース留め具を用いることにより、このホース留め具を、一対のガイドベルトを案内にして、取付リングをセパレータのねじ部に通すだけで簡単に取り付けることができ、そして、コンクリートの表面上でこのホース留め具の拘束リングに給水用ホースを挿通するだけで、コンクリートの表面に給水用ホースを容易に設置することができる、という効果を有する。
また、本発明のシートストッパーを用いることにより、このシートストッパーを、摘みの操作により軸のねじ孔とセパレータのねじ部とをねじ締結して、セパレータのねじ部に工具を使用することなく簡単に取り付けることができ、そして、シートストッパーをセパレータに取り付けることで、このシートストッパーのフランジで養生用シートをコンクリートの表面に向けて押圧し、コンクリートの表面に養生用シートを容易に押え込み固定することができ、同時に、このシートストッパーの軸でセパレータのねじ部に取り付けたホース留め具を固定することができる、という効果を有する。
さらに、本発明のシート押えプレートを用いることにより、養生用シートをコンクリートの表面にシートストッパーで押え込み固定する際に、このシート押えプレートを、水平部をシートストッパーの上側に配置し、垂直部を養生用シートとシートストッパーのフランジとの間に介在させるだけで、このシート押えプレートで養生用シートを簡単に押えることができ、特に、このシート押えプレートは断面略Ｌ形の曲がりにくい形状になっており、このシート押えプレートの垂直部でコンクリートの表面に被着した養生用シートを広範囲に強固に固定して、コンクリートの表面からの脱落をより確実に防止することができる、という効果を有する。
【図面の簡単な説明】
【００１０】
【図１】本発明のコンクリートの養生設備の取付方法によるコンクリートの表面（鉛直面）における給水用ホース及び養生用シートの取り付け例を示す側方から見た図
【図２】同取付方法に用いるホース留め具を示す斜視図
【図３】（ａ）同取付方法に用いるシートストッパーを示す斜視図（ｂ）同正面図
【図４】同取付方法に用いるシート押えプレートを示す斜視図
【図５】同取付方法の手順を示す図
【図６】同取付方法においてシート押えプレートを使用した場合を示す図
【図７】従来のコンクリートの養生設備の取付方法によるコンクリートの表面（鉛直面）における給水用ホース及び養生用シートの取り付け例を示す側方から見た図
【図８】同取付方法の手順を示す図
【発明を実施するための形態】
【００１１】
次に、この発明を実施するための形態について図を用いて説明する。図１にこの発明に基づくコンクリートの養生設備の取付方法によるコンクリートの表面の給水用ホース及び養生用シートの取り付け例を示している。図１に示すように、この取付方法では、型枠脱型後のコンクリートの表面（鉛直面）Ｐに、コンクリートＣの内部に通された複数のセパレータ７１のねじ部７２を利用して、コンクリートの表面Ｐの湿潤養生に使用する給水用ホースＨ及び養生用シートＳを取り付けている。なお、この場合、セパレータ７１のねじ部７２に締結されていたピーコン（図示省略）は取り外されて、コンクリートの表面Ｐから抜き取られており、セパレータ７１のねじ部７２がコンクリートの表面Ｐの略円錐台形の溝Ｐ１内に突出されている。この取付方法では、特に、各セパレータ７１のねじ部７２に給水用ホースＨを拘束可能なホース留め具１を取り付けて、このホース留め具１に給水用ホースＨを通すことにより、給水用ホースＨをコンクリートの表面Ｐに設置し、コンクリートの表面Ｐに養生用シートＳを被着し、各セパレータ７１のねじ部７２に養生用シートＳを当該養生用シートＳの上からコンクリートの表面Ｐに向けて押圧可能な押圧面２２１を有するシートストッパー２を取り付けて、このシートストッパー２の押圧面２２１で養生用シートＳをコンクリートの表面Ｐに押え込み固定する。この場合、養生用シートＳをコンクリートの表面Ｐにシートストッパー２で押え込み固定する際に、養生用シートＳを押え込み可能な所定の長さを有するシート押えプレート３（図６参照）をシートストッパー２間に架け渡し、養生用シートＳとシートストッパー２の押圧面２２１との間に介在させるようにしてもよい。
【００１２】
図２、図３、図４にそれぞれ、この取付方法で用いるホース留め具１、シートストッパー２、シート押えプレート３を示している。
図２に示すように、ホース留め具１は、セパレータ７１のねじ部７２に係合可能な取付リング１２と、取付リンク１２の縁部から２方向にコンクリートの表面Ｐ上に延びる一対のガイドベルト１３、１４と、一対のガイドベルト１３、１４の一方に一体的に結合され、給水用ホースＨを拘束可能に形成される拘束リング１５とを備える。この場合、ホース留め具１は取付ベルト１１と拘束リング１５とからなる。取付ベルト１１は全体が例えばポリエチレンなどのプラスチック材料により細長い略ベルト状に一体形成され、一端側から順に一方のガイドベルト１３、取付リング１２、他方のガイドベルト１４を有する。一方のガイドベルト１３はコンクリートの表面Ｐの溝Ｐ１の内外に挿通可能に適宜の長さに形成される。取付リング１２はコンクリートの表面Ｐの溝Ｐ１内に配置可能に適宜の大きさ及び形状（この場合、矩形状としたが、円形でもよい。）に形成され、その中心にセパレータ７１のねじ部７２を挿通可能な径を有する円形の孔１２０が形成される。他方のガイドベルト１４はコンクリートの表面Ｐの溝Ｐ１の内外に挿通可能に一方のガイドベルト１３よりも少し長い適宜の長さに形成され、その終端部に拘束リング１５を取り付けるための取付孔１４０が形成される。この取付ベルト１１は、使用に際し、一対のガイドベルト１３、１４がコンクリートの表面Ｐの溝Ｐ１に挿入しやすいように取付リング１２に対して適宜の角度で斜めに折り曲げられ、さらに各ガイドベルト１３、１４の溝Ｐ１の開口から突出される部分を溝Ｐの開口縁部の平面に沿って這わせやすいように適宜の角度に折り曲げられる。拘束リング１５は略リング状（略Ｏ形形状）に結合可能なプラスチック製のベルト、又は針金、又はビニール製若しくはゴム製の紐などが用いられ、取付ベルト１１の他方のガイドベルト１４の取付孔１４０に通されてリング状に形成される。なお、この拘束リング１５はリング状に限られず、取付ベルト１１に取付可能であれば、プラスチック製又は金属製又は木製のフック（略Ｊ形形状）などを用いてもよい。このようにしてホース留め具１の取付ベルト１１を（例えば、両手の親指と人差し指の指先で一対のガイドベルト１３、１４の各端部を摘み持ち）一対のガイドベルト１３、１４を案内にして、取付リング１２にセパレータ７１のねじ部７２を通して取り付け、この取付ベルト１１に繋がれた拘束リング１５をコンクリートの表面Ｐ上に吊り下げて、拘束リング１５に給水用ホースＨを挿通するようになっている。
図３に示すように、シートストッパー２は、セパレータ７１のねじ部７２に螺合可能なねじ孔２１０を有する軸２１と、軸２１の基端部に設けられ、当該軸方向に対して直角方向に突出してコンクリートの表面Ｐを押圧可能な押圧面２２１を有するフランジ２２と、フランジ２２の軸２１とは反対側の面に突出し、軸２１を回転操作するための摘み２３とを備える。この場合、シートストッパー２は全体が例えばＰＶＣ（ポリ塩化ビニル）などのプラスチック材料により略キャップ形に一体形成され、一端側から順に軸２１、フランジ２２、摘み２３を有する。軸２１はコンクリートの表面Ｐの溝Ｐ１内に挿入可能に当該溝Ｐ１の内径よりも小さい径で当該溝Ｐ１の深さより短い、セパレータ７１のねじ部７２に係合可能な適宜の長さの円筒形状に形成され、その軸芯にセパレータ７１のねじ部７２に締結可能なねじ孔２１０が形成される。フランジ２２は軸２１の一端、この場合、軸２１の後端に溝Ｐ１の周囲に当接可能に溝Ｐ１の径よりも大きい適宜の径の円形に形成される。このフランジ２２の軸２１側の面が養生用シートＳに対する押圧面２２１となる。摘み２３はフランジ２２の軸２１とは反対側の面の中心に軸２１よりも少し大きく短い円筒部２３１が形成されて、この円筒部２３１の頂面の直径上に当該頂面に対して直角に突出し、その両端が当該頂面の外側へフランジ２２の外周付近まで張り出されて湾曲しこの円筒部２３１の外周面に達する、略半円形状に形成される。このようにしてシートストッパー２を（例えば、一方の手の親指と人差し指で摘み２３を摘み持ち）摘み２３の操作により軸２１のねじ孔２１０とセパレータ７１のねじ部７２とをねじ締結して、軸２１でセパレータ７１のねじ部７２に取り付けたホース留め具１を抜け止めして固定するとともに、フランジ２２の押圧面２２１で養生用シートＳをコンクリートの表面Ｐに向けて押圧するようになっている。
図４に示すように、シート押えプレート３は、このシート押えプレート３を複数のシートストッパー２間に架け渡し可能に、かつ養生用シートＳとシートストッパー２のフランジ２２（の押圧面２２１）との間に介装可能に適宜の長さ及び厚さに形成される。この場合、シート押えプレート３は、プラスチック材により断面略Ｌ字形に形成されて、水平部３１と、垂直部３２とを有し、曲がりにくい形状をなす。このようにしてシート押えプレート３を水平部３１をシートストッパー２の上側に配置し、垂直部３２を養生用シートＳとシートストッパー２のフランジ２２との間に介在して、養生用シートＳを広範囲に強固に押え込み固定するようになっている。
【００１３】
図５にこの取付方法によるコンクリートの表面Ｐの給水用ホースＨ及び養生用シートＳの取り付け手順を示している。
まず、図５（１）に示すように、コンクリートＣの各セパレータ７１のねじ部７２にホース留め具１を取り付ける。この場合、例えば、両手の親指と人差し指の指先で一対のガイドベルト１３、１４の各端部を摘み持ち、この一対のガイドベルト１３、１４を案内にして、取付リング１２をコンクリートの表面Ｐの溝Ｐ１の中に挿入し、セパレータ７１のねじ部７２に通して取り付ける。そして、一方のガイドベルト１３の端部を溝Ｐ１の開口上縁部に向けて折り曲げ、コンクリートの表面Ｐに当接させ、他方のガイドベルト１４を溝Ｐの開口下縁部に向けて折り曲げ、コンクリートの表面Ｐに当接させて、他方のガイドベルト１４の端部に繋がれた拘束リング１５をコンクリートの表面Ｐの溝Ｐ１の下に吊り下げる。
続いて、図５（２）に示すように、各セパレータ７１のねじ部７２に取り付けた各ホース留め具１により給水用ホースＨをコンクリートの表面Ｐに設置する。この場合、給水用ホースＨを各ホース留め具１の拘束リング１５に順次挿通して、コンクリートの表面Ｐに沿って設置する。
そして、図５（３）に示すように、コンクリートの表面Ｐに養生用シートＳを被着し、各セパレータ７１のねじ部７２にシートストッパー２を取り付けて、このシートストッパー２のフランジ２２で養生用シートＳをコンクリートの表面Ｐに押え込み固定する。この場合、例えば、一方の手の親指と人差し指で摘み２３を摘み持ち、摘み２３の操作により軸２１のねじ孔２１０とセパレータ７１のねじ部７２とをねじ締結し、軸２１でセパレータ７１のねじ部７２に取り付けたホース留め具１を抜け止めして固定するとともに、フランジ２２の押圧面２２１で養生用シートＳをコンクリートの表面Ｐに向けて押圧する。
また、シート押えプレート３を併用する場合は、図６に示すように、養生用シートＳをコンクリートの表面Ｐにシートストッパー２で押え込み固定する際に、このシート押えプレート３を複数のシートストッパー２間に架け渡し、養生用シートＳとフランジ２２の押圧面２２１との間に介在させる。この場合、各シートストッパー２を仮締めしておき、シート押えプレート３の水平部３１を各シートストッパー２の上側に配置して、垂直部３２を養生用シートＳと各シートストッパー２のフランジ２２との間に介在した後、各シートストッパー２を本締めすればよい。
【００１４】
以上説明したように、この取付方法では、特に、コンクリートのセパレータ７１のねじ部７２に取り付け可能なホース留め具１と、セパレータ７１のねじ部７２に取り付け可能なシートストッパー２とを用い、まず、養生用シートＳの取り付けに先行して各セパレータ７１のねじ部７２にホース留め具１を取り付け、これらのホース留め具１に給水用ホースＨを通すことにより、給水用ホースＨをコンクリートの表面Ｐに設置し、そして、コンクリートの表面Ｐに養生用シートＳを被着し、各セパレータ７１のねじ部７２にシートストッパー２を取り付けて、このシートストッパー２のフランジ２２で養生用シートＳを当該養生用シートＳの上からコンクリートの表面Ｐに向けて押圧し、コンクリートの表面Ｐに押え込み固定するので、コンクリートの表面Ｐに給水用ホースＨ及び養生用シートＳを、仮止め作業、取り外し作業などの手戻りをなくして効率よく、かつ簡易に取り付けることができ、しかも、養生用シートＳの表面にはシートストッパー２の一部が現れるだけなので、養生設備の外観を良好にすることができる。
この場合、シート押えプレート３を複数のシートストッパー２間に架け渡し、養生用シートＳと各シートストッパー２のフランジ２２との間に介在させることにより、コンクリートの表面Ｐに被着した養生用シートＳを広範囲に強固に固定して、コンクリートの表面Ｐからの脱落をより確実に防止することができる。シート押えプレート３を使用した場合、このシート押えプレート３が養生用シートＳの表面に現れるが、このシート押えプレート３はプラスチック製の細長く薄い板でよいので、養生設備の外観を損ねることがない。
【００１５】
そして、この取付方法に用いるホース留め具１は、セパレータ７１のねじ部７２に係合可能な取付リング１２と、取付リンク１２の縁部から２方向にコンクリートの表面Ｐ上に延びる一対のガイドベルト１３、１４と、一対のガイドベルト１３、１４の一方に一体的に結合され、給水用ホースＨを拘束可能に形成される拘束リング１５とを備えているので、このホース留め具１を、一対のガイドベルト１３、１４を案内にして、取付リング１２をセパレータ７１のねじ部７２に通すことにより簡単に取り付けることができ、そして、コンクリートの表面Ｐ上でこのホース留め具１の拘束リング１５に給水用ホースＨを挿通するだけで、コンクリートの表面Ｐに給水用ホースＨを容易に設置することができる。
また、この取付方法に用いるシートストッパー２は、セパレータ７１のねじ部７２に螺合可能なねじ孔２１０を有する軸２１と、軸２１の基端部に設けられ、当該軸方向に対して直角方向に突出してコンクリートの表面Ｐを押圧可能な押圧面２２１を有するフランジ２２と、フランジ２２の軸２１とは反対側の面に突出し、軸２１を回転操作するための摘み２３とを備えているので、このシートストッパー２を、摘み２３の操作により軸２１のねじ孔２１０とセパレータ７１のねじ部７２とをねじ締結することにより、セパレータ７１のねじ部７２に工具を使用することなく簡単に取り付けることができ、このシートストッパー２をセパレータ７１のねじ部７２に取り付けることで、シートストッパー２の軸２１でセパレータ７１のねじ部７２に取り付けたホース留め具１を固定することができ、シートストッパー２のフランジ２２で養生用シートＳをコンクリートの表面Ｐに向けて押圧して、コンクリートの表面Ｐに養生用シートＳを容易に押え込み固定することができる。
さらに、この取付方法に用いるシート押えプレート３は、断面略Ｌ字形に形成されて、水平部３１と、垂直部３２とを有し、曲がりにくい形状になっているので、養生用シートＳをコンクリートの表面Ｐに複数のシートストッパー２で押え込み固定する際に、このシート押えプレート３を、水平部３１を各シートストッパー２の上側に配置し、垂直部３２を養生用シートＳと各シートストッパー２のフランジ２２との間に介在させるだけで、養生用シートＳを簡単に押えることができ、コンクリートの表面Ｐに被着した養生用シートＳを広範囲に強固に固定して、コンクリートの表面Ｐからの脱落をより確実に防止することができる。
このようにコンクリートの表面Ｐの給水用ホースＨ及び養生用シートＳの取り付けに当たり、従来の桟木やフォームタイ（登録商標）に代えて、ホース留め具１、シートストッパー２、必要に応じてシート押えプレート３を用いたことで、これらホース留め具１、シートストッパー２、シート押えプレート３は軽量で、その使用に際して工具を使用する必要がないので、給水用ホースＨ及び養生用シートＳの取り付け作業を大幅に向上させることができる。
【００１６】
なお、この実施の形態では、ホース留め具１の取付ベルト１１と拘束リング１５とを別体に形成したが、例えば、取付ベルト１１の他方のガイドベルト１４の端部にリング又はリング状に結合可能なベルトを一体に形成するなどして、これら取付ベルト１１と拘束リング１５とを一体化してもよい。また、ホース留め具１をプラスチック材により形成したが、金属材などで形成してもよい。さらに、このホース留め具１１の取付リング１２をリング形状（略Ｏ形形状）に代えて、フック形状（略Ｊ形形状）としてもよく、拘束リング１５をリング形状（略Ｏ形形状）に代えて、フック形状（略Ｊ形形状）としてもよい。
また、この実施の形態では、シートストッパー２をプラスチック材により形成したが、金属材などで形成してもよい。
さらに、この実施の形態では、シート押えプレート３を断面略Ｌ字形に形成したが、細長い板状に形成してもよい。また、シート押えプレート３をプラスチック材により形成したが、金属材などで形成してもよい。
【符号の説明】
【００１７】
Ｐ  コンクリートの表面（鉛直面）
Ｐ１  溝
Ｃ  コンクリート
Ｈ  給水用ホース
Ｓ  養生用シート
７１  セパレータ
７２  ねじ部
１  ホース留め具
１１  取付ベルト
１２  取付リング
１２０  孔
１３  ガイドベルト
１４  ガイドベルト
１４０  取付孔
１５  拘束リング
２  シートストッパー
２１  軸
２１０  ねじ孔
２２  フランジ
２２１  押圧面
２３  摘み
２３１  円筒部
３  シート押えプレート
３１  水平部
３２  垂直部
【図１】
0005656257.tif 000002
【図２】
0005656257.tif 000003
【図３】
0005656257.tif 000004
【図４】
0005656257.tif 000005
【図５】
0005656257.tif 000006
【図６】
0005656257.tif 000007
【図７】
0005656257.tif 000008
【図８】
0005656257.tif 000009